(57)【要約】【課題】容易に遊技機の面換えを行うことができ、遊技者が退屈することがなく長期間にわたって遊技を楽しむことが可能となり、また、その構成部材の多くを再利用可能とすることができる遊技機を提供すること。【解決手段】遊技盤と表示部とを備えた遊技機であって、上記遊技盤は、ほぼ透明な表基板と、当該表基板の裏側に設けられたほぼ透明な裏基板とからなり、上記表基板は、当該遊技機の本体枠又は前記裏基板と着脱可能であり、上記遊技盤には、絵柄の描かれた絵柄フィルムが上記絵柄を前方より視認し得るように配設されていることを特徴とする遊技機。【選択図】      図１
2004160033.tif 000002
【特許請求の範囲】
【請求項１】
１以上の入賞口が設けられた遊技盤と、複数種類の識別情報を変動表示可能な可変表示部とを有し、
該可変表示部における変動表示結果が、予め定められた特定表示態様となった場合に、所定の遊技価値が付与可能な弾球遊技機であって、
前記遊技盤は、透過性の表基板と、当該表基板の裏側に設けられた透過性の裏基板とからなり、
前記表基板は、当該弾球遊技機の本体枠又は前記裏基板と着脱可能であり、
前記遊技盤には、絵柄の描かれた絵柄フィルムが配設されていることを特徴とする弾球遊技機。
【請求項２】
前記表基板は、軟質材からなる請求項１に記載の弾球遊技機。
【請求項３】
前記裏基板は、硬質材からなる請求項１又は２に記載の弾球遊技機。
【請求項４】
前記絵柄フィルムは、表基板と裏基板との間に配設されている請求項１〜３のいずれか１に記載の弾球遊技機。
【請求項５】
前記表基板は、前記裏基板に嵌め込まれている請求項１〜４のいずれか１に記載の弾球遊技機。
【請求項６】
前記遊技盤の側部から光を照射する光源が設けられている請求項１〜５のいずれか１に記載の弾球遊技機。
【発明の詳細な説明】
【０００１】
【発明の属する技術分野】
本発明は、パチンコ遊技装置等の弾球遊技機に関するものである。
【０００２】
【従来の技術】
従来から、遊技盤上に遊技球を打ち出して遊技を行う弾球遊技機として、パチンコ遊技装置が知られている。このようなパチンコ遊技装置では、発射ハンドルが操作されることにより遊技球が遊技盤上に打ち出され、遊技球が遊技盤上に植設された障害釘に衝突しながら落下する。そして、この遊技球が上記遊技盤に設けられた入賞口に入ると、予め定められた数の遊技球が払い出される。
【０００３】
また、遊技球が遊技盤に設けられた始動口に入ると、表示装置で表示されていた固定画面を、一定の物語性を有する動画等が表示される通常画面へと切り替え、いわゆる可変表示ゲームを開始する。この可変表示ゲームは、スロットマシンにおいてなされる遊技を模したゲームであり、複数の変動図柄を当該表示装置に表示し、その各々を変動表示させた後、所定のタイミングでこれらの図柄が順次停止するように表示し、全ての図柄の停止表示が確定したときの図柄の組み合わせが大当たりとなる図柄の組み合わせとなったときに、大当たり状態が発生したとして、例えば、所定の数の遊技球を払い出す等、遊技者に所定の利益及び／又は有利な状態を提供するゲームである。
【０００４】
最近では、可変表示ゲームを盛り上げる演出を行ったり、大当たり状態が発生したことを強く印象付けて興奮を高めたりするため、表示装置に表示される演出画像に、例えば、劇画の主人公やそれに関係する人物を登場させたり、プロレスや相撲の人物を登場させる等、この表示装置内で展開される物語やキャラクタ等も様々なものが出現している。また、臨場感のある大胆な演出を行うため、演出画像の表示領域を大きくしたり、演出画像が表示される表示装置自体を大きくしたりするということも行われており、演出画像の重要性は益々高まっているといえる。
【０００５】
しかし、上述したように、表示装置で展開される演出画像が大胆で、臨場感があるものであるため、遊技盤の表示装置以外の部分に絵柄等が描かれていても、遊技者の注意はその部分には向けられず、表示装置のみに集中する傾向が強くなり、長時間遊技を行うと、遊技者が退屈してしまうという問題があった。
【０００６】
このような問題を解消するためのパチンコ遊技装置として、遊技盤が透明基板によって形成されたパチンコ遊技装置であって、上記遊技盤の裏面に、絵柄が形成された演出シートが設けられているパチンコ遊技装置がある（例えば、特許文献１参照）。
また、遊技盤が透明基板によって形成されたパチンコ遊技装置であって、遊技者が上記遊技盤の背面側を視認可能とるように構成された領域と、遊技者が上記遊技盤の背面側を視認不可能とするように構成された領域とを設けることによって、遊技者がパチンコ遊技装置の遊技盤の裏面に配置された機構部材の一部を視認可能とすることができるパチンコ遊技装置もある（例えば、特許文献２参照）。特許文献１に記載のパチンコ遊技装置では、遊技者は、透明基板からなる遊技盤を介して、上記遊技盤の裏面に設けられた演出シートを見ることができ、また、特許文献２に記載のパチンコ遊技装置では、遊技者が遊技盤の裏面に配置された機構部材の一部を見ることができるため、従来にはない新しい遊技盤の見え方とすることができる。
【特許文献１】
特開２０００−６１０４７（第１−６頁）
【特許文献２】
特開２０００−５１４６４（第１−１３頁）
【０００７】
【発明が解決しようとする課題】
しかし、遊技盤の裏面に絵柄が形成された演出シートが設けられているパチンコ遊技装置や、遊技盤の裏面に配置された機構部材の一部を視認可能とすることによって、新しい遊技盤の見え方としたパチンコ遊技装置であっても、長時間遊技を行うと、遊技盤に描かれている絵柄等に飽きてしまい、また、遊技盤に植設された障害釘に衝突しながら落下する遊技球の動きにも慣れてしまい、遊技者が退屈してしまう問題があった。そのため、多数のパチンコ遊技装置が設置されている遊技店（所謂、パチンコホール）においては、遊技者を退屈させないように、頻繁に新しいパチンコ遊技装置の入れ替え（機種変更）を行う必要があった。
【０００８】
しかしながら、従来のパチンコ遊技装置では、機種変更の際、表示装置と遊技盤とを併せて交換したり、更には、パチンコ遊技装置の筐体ごと交換したりするということも行われており、多大な費用がかかるという問題があるとともに、交換する必要のないパチンコ遊技装置の構成部材等までもが一緒に交換され、再利用される機会もなく廃棄されるということも行われており、リサイクルの観点からも大きな問題となっている。
なお、液晶パネル等からなる可変表示部を備えた上記表示装置はコストが高く、弾球遊技機に設けられた他の部材と比べて劣化し難いことから、再利用の要望が強いものの一つとなっている。
【０００９】
ところで、従来のパチンコ遊技装置では、遊技盤に液晶パネル等からなる可変表示部を備えた表示装置が遊技盤に設けられるとともに、当該表示装置から多くの配線が導出されているため、表示装置を残した状態で遊技盤のみを交換するということは困難である。そのため、遊技盤に描かれた絵柄の変更や、遊技盤に植設された障害釘の数及び位置の変更（所謂面換え）等の比較的軽微な変更を行う場合であっても、上記表示装置が設けられた遊技盤から、当該遊技装置を取り外して遊技盤の交換を行う必要があるため、上記面換えに係る作業が非常に手間のかかるものになってしまうという問題があった。
【００１０】
本発明は、上述した問題に鑑みてなされたものであり、その目的は、容易に弾球遊技機の面換えを行うことができ、遊技者が退屈することがなく長期間にわたって遊技を楽しむことが可能となり、また、その構成部材の多くを再利用可能とすることができる弾球遊技機を提供することにある。
【００１１】
【課題を解決するための手段】
以上のような目的を達成するために、本発明は、遊技盤と可変表示部とを備えた弾球遊技機であって、上記遊技盤は、透過性の表基板と、当該表基板の裏側に設けられた透過性の裏基板とからなり、上記表基板は、当該弾球遊技機の本体枠又は上記裏基板と着脱可能であり、上記遊技盤には、絵柄の描かれた絵柄フィルムが配設されていることを特徴とする弾球遊技機を提供する。
【００１２】
より具体的には、本発明は、以下のようなものを提供する。
（１）１以上の入賞口が設けられた遊技盤と、複数種類の識別情報を変動表示可能な可変表示部とを有し、
該可変表示部における変動表示結果が、予め定められた特定表示態様となった場合に、所定の遊技価値が付与可能な弾球遊技機であって、
上記遊技盤は、透過性の表基板と、当該表基板の裏側に設けられた透過性の裏基板とからなり、
上記表基板は、当該弾球遊技機の本体枠又は上記裏基板と着脱可能であり、
上記遊技盤には、絵柄の描かれた絵柄フィルムが配設されていることを特徴とする。
【００１３】
（１）の発明によれば、遊技盤は、透過性の表基板と、当該表基板の裏側に設けられた透過性の裏基板とからなり、上記表基板は、当該弾球遊技機の本体枠又は上記裏基板と着脱可能であるため、面換えを行う際、絵柄フィルムが配設されるとともに障害釘が植設された表基板のみを取り外して交換すればよく、遊技盤の裏側に表示装置を設けておけば、従来の弾球遊技機のように、遊技盤から当該表示装置を取り外す必要がない。その結果、面換えに係る作業を簡略化することができ、面換えを容易に行うことができるようになるため、遊技盤に描かれた絵柄を頻繁に変更したり、遊技盤に植設された障害釘の位置を頻繁に変更して、落下する遊技球の動きに多様性を持たせたりすることが可能であり、遊技者は長期間にわたって飽きを感じることなく遊技を楽しむことができるようになる。
さらに、例えば、遊技に必要なプログラム等が格納された制御基板等と上記表基板とのみを交換するだけで機種変更を行うことができるため、機種変更の際に表示装置を含む構成部材の多くを再利用可能とすることができるとともに、機種変更に係るコストを抑制することができる。
【００１４】
なお、上記弾球遊技機において、上記遊技盤には、絵柄の描かれた絵柄フィルムが、上記絵柄が前方より視認し得るように配設されていることが望ましい。上述した効果をより顕著に得ることができるからである。
【００１５】
さらに、本発明は、以下のようなものを提供する。
（２）上記（１）に記載の弾球遊技機であって、上記表基板は、軟質材からなることを特徴とする。
【００１６】
（２）の発明によれば、表基板は、軟質材からなるため、障害釘の植設を容易に行うことが可能となり、また、遊技球が表基板に植設された障害釘に衝突して上記表基板が割れることを防止することもできる。
【００１７】
さらに、本発明は、以下のようなものを提供する。
（３）上記（１）又は（２）に記載の弾球遊技機であって、上記裏基板は、硬質材からなることを特徴とする。
【００１８】
（３）の発明によれば、裏基板は硬質材からなるため、弾球遊技機の作動中に遊技盤に設けられた表示装置等から熱が発生しても、裏基板に反りが発生することを防止することができる。さらに、表基板が熱により反りが発生し易い軟質材からなる場合であっても、当該表基板の裏側にある裏基板に支持されることにより、上記表基板に反りが発生することを防止することができる。
【００１９】
さらに、本発明は、以下のようなものを提供する。
（４）上記（１）〜（３）のいずれか１に記載の弾球遊技機であって、上記絵柄フィルムは、表基板と裏基板との間に配設されていることを特徴とする。
【００２０】
（４）の発明によれば、絵柄フィルムが遊技球と接触することがないため、絵柄フィルムに傷や汚れが生じることを防止することができる。また、例えば、遊技球との接触により表基板に傷や汚れが生じたときや、障害釘の位置を変更するとき等、絵柄フィルムを交換する必要がないときには、絵柄フィルムを存置したまま、表基板のみを交換することにより、対応することが可能である。その結果、絵柄フィルムを長期間にわたって使用可能とすることができる。
また、表基板と裏基板との間に絵柄フィルムを挟んでおけば、両者の間に絵柄フィルムを配設することができるため、表基板を脱着するだけで、比較的容易に絵柄フィルムのみを交換することも可能である。
さらに、表基板の裏面には、その表面と異なり、障害釘等が設けられることがないので、該障害釘に対応する孔を絵柄フィルムに形成する必要もなく、また、絵柄フィルムの交換を容易に行うことができる。
【００２１】
さらに、本発明は、以下のようなものを提供する。
（５）上記（１）〜（４）のいずれか１に記載の弾球遊技機であって、上記表基板は、上記裏基板に嵌め込まれていることを特徴とする。
【００２２】
（５）の発明によれば、表基板は裏基板に嵌め込まれているため、上記裏基板を本体枠から取り外さずに、上記表基板の取り付け及び取り外しができ、また、表基板の取り付けを行うためのねじやクランプ等の固定部材等も必要がないため、表基板の交換をより容易に行うことができる。
また、裏基板に、表基板を嵌め込むための凹部等を形成しておけば、交換される表基板には特別な形状を有する樹脂板等を用いる必要がなく、市販の樹脂板等により表基板とすることも可能であるため、表基板の交換に係るコストの低減を図ることも可能である。
さらにまた、表基板が裏基板に嵌め込まれるため、着脱可能な表基板を、裏基板に密着させて固定させることができ、表基板ががたついてしまうことを防止することができる。また、表基板ががたついてしまうことを防止することができるため、表基板と裏基板との間に絵柄フィルムが配設される場合には、絵柄フィルムにズレ等が生じることもない。
【００２３】
さらに、本発明は、以下のようなものを提供する。
（６）上記（１）〜（５）のいずれか１に記載の弾球遊技機であって、上記遊技盤の側部から光源が設けられていることを特徴とする。
【００２４】
（６）の発明によれば、遊技盤の側部から当該遊技盤の中央部に向けて光を照射する光源が設けられているため、遊技盤正面から見ると、遊技盤に配設された絵柄フィルムの一部又は全部が光って見える。その結果、例えば、複数の着色光を照射可能な光源を用いることにより、遊技盤全体を用いた大胆で、多様性を持った演出を行うことができるため、遊技者の注意を遊技盤全体に向けることができ、遊技者を楽しませることができる。
なお、上記光源は、上記遊技盤の側部から遊技盤の中央部分へ向けて光を照射するように構成されていることが望ましい。上述したような効果をより顕著に得ることができるからである。
【００２５】
［用語の定義等］
「識別情報」とは、文字、記号、絵柄又は模様（図柄）等の視覚によって識別可能な情報をいい、後述する可変表示部に表示される。また、識別情報には後述する変動図柄が含まれる。なお、変動図柄とは、変動表示され得る図柄をいう。
「変動表示」とは、識別情報が順次変化する場合、例えば、１つの識別情報である図柄「７」から他の識別情報である図柄「８」へ変化する場合や、図柄「９」から他の図柄「☆」へ変化する場合のほか、識別情報を表示し得る表示領域において１つの識別情報が表示されたままその識別情報が移動して表示されるような場合、例えば、１つの図柄「７」が表示領域内において表示されつつ移動する場合等を含む概念である。
「変動表示結果」とは、上述したように識別情報が変動表示された後、停止表示されたものをいい、この変動表示結果が、特定表示態様となった場合、所定の遊技価値が付与されることになる。また、遊技価値としては、例えば、遊技球を挙げることができるが、上記遊技価値は、例えば、遊技球の数と等価なデータが制御部のＲＡＭ（Ｒａｎｄｏｍ  Ａｃｃｅｓｓ  Ｍｅｍｏｒｙ）等に記憶されることにより付与されることとしてもよい。
「特定表示態様」とは、予め定められた変動表示結果をいい、上記特定表示態様としては、例えば「７」−「７」−「７」等を挙げることができる。変動表示結果が特定表示態様となった場合に、所定の遊技価値が付与されることになる。
【００２６】
「可変表示部」とは、複数種類の識別情報を変動表示可能なものをいう。可変表示部における変動表示結果が、予め定められた特定表示態様となった場合に、所定の遊技価値が付与される。
具体的に、上記可変表示部には、少なくとも複数の変動図柄の変動表示が開始されてから、複数の変動図柄が停止表示されるまでを１回のゲームとする可変表示ゲームを示す画面画像が表示される。また、上記画面画像には、可変表示ゲームを示す画像以外に、静画像や動画像等からなる演出画像が表示されることとしてもよい。上記可変表示部としては、特に限定されるものではないが、例えば、プラスチック液晶や液晶パネル等からなるものを挙げることができる。
【００２７】
「液晶パネル」とは、液晶層、その両面に設けられた配向膜、透明電極、カラーフィルタ等（以下、液晶層等ともいう）が２枚のガラス基板により挟持されるとともに、２枚のガラス基板の外面に偏光板等が設けられたものであって、画像を表示することが可能であるものをいう。
本発明の弾球遊技機において用いられる液晶パネルとしては、特に限定されるものではなく、従来公知の液晶パネルを用いることが可能である。
【００２８】
また、「プラスチック液晶」とは、上述した液晶パネルにおいて、液晶層等がガラス基板ではなく、プラスチック基板により挟持されたものをいう。
本発明の弾球遊技機において用いられるプラスチック液晶としては、特に限定されるものではなく、従来公知のプラスチック液晶を用いることが可能である。
なお、本発明において、液晶パネル及びプラスチック液晶のうち、どちらを用いるかについては、特に限定されるものではなく、例えば、製造コスト、耐衝撃性等を考慮して、適宜選択することが可能である。
なお、以下においては、可変表示部として、液晶パネル又はプラスチック液晶が設けられている場合について説明することとする。また、本発明では、液晶パネルとプラスチック液晶とを併せて、液晶パネル等ともいうこととする。
【００２９】
本発明の弾球遊技機に設けられる液晶パネル等の大きさは、遊技者が液晶パネル等に表示される画像を視認することができる範囲であれば、特に限定されるものではない。また、液晶パネル等が設けられる位置については、特に限定されるものではなく、裏基板の裏面に設けられていてもよく、裏基板に嵌め込まれていてもよい。液晶パネル等の位置及び大きさについては、例えば、演出画像や可変表示ゲームを示す画面画像の大きさや、製造コスト等を考慮して、適宜設定することが可能である。また、本発明の弾球遊技機に設けられる液晶パネル等の数は、必ずしも１枚である必要はなく、複数枚の液晶パネル等が設けられることとしてもよい。
本発明に係る液晶パネル等の駆動方式としては、特に限定されるものではなく、例えば、アクティブマトリックス駆動方式、パッシブマトリックス駆動方式、ダイナミック駆動方式等、従来公知の種々の駆動方式を用いることができる。
また、本発明に係る液晶パネル等に光を照射するバックライトは、特に限定されるものではなく、その方式としては、例えば、反射板方式、導光体方式、面状光源方式等、従来公知の方式のバックライトを用いることができる。
【００３０】
本明細書において「透過性」とは、可変表示部に表示される画像を、上記表基板と上記裏基板とからなる遊技盤を介してはっきりと視認することが可能な程度に、上記表基板及び上記裏基板が透明であることをいい、上記表基板及び上記裏基板の可視光線透過率が共に３０％以上であることが望ましく、共に５０％以上であることがより望ましい。
【００３１】
「着脱可能」とは、表基板の弾球遊技機の本体枠又は裏基板からの取り外し及び取り付けが可能であることをいう。
上記表基板を上記弾球遊技機の本体枠又は裏基板に取り付ける方法としては、上記表基板を上記弾球遊技機の本体枠又は上記裏基板に取り付けた後に、取り外すことが可能であれば特に限定されるものではなく、例えば、図１（ａ）〜（ｄ）及び図２（ａ）〜（ｄ）に示す方法を挙げることができる。
【００３２】
まず、図１について説明する。
図１（ａ）では、裏基板１１８は、弾球遊技機の本体枠１１２に形成された凹部１１２ｃに嵌め込まれて、本体枠１１２に着脱不可能に固定されている。本体枠１１２に形成された凹部１１２ｃの前側には、さらに凹部１１２ａが形成されており、この凹部１１２ａには表基板１１３が嵌めこまれるとともに凹部１１２ａの前側に形成された爪部１１２ｂにより掛止されることにより固定されて裏基板１１８に固定されている。また、表基板１１３の表面には、絵柄フィルム１５が張付されている。なお、表基板１１３の、本体部１１２の凹部１１２ａに嵌め込まれる部分は、表基板１１３の取り外しが可能となるように面取りが施されている。
なお、絵柄フィルム１５の前面には、樹脂製の透明な保護フィルム（図示せず）が設けられており、遊技球の衝突や、遊技球との摩擦による絵柄フィルム１５の劣化を防止することができる。
【００３３】
また、図１（ｂ）では、裏基板２１８は、弾球遊技機の本体枠２１２に形成された凹部２１２ａに嵌め込まれて、本体枠２１２に着脱不可能に固定されており、また、表基板２１３は、裏基板２１８の前面に位置するように、本体枠２１２にねじ２１４により固定されて取り付けられている。また、絵柄フィルム１５は、表基板１１３の表面に張付されており、さらに、その前面には、上述したような保護フィルム（図示せず）が張付されている。
【００３４】
さらに、図１（ｃ）では、裏基板３１８は、弾球遊技機の本体枠３１２に形成された凹部３１２ａに嵌め込まれて、本体枠３１２に着脱不可能に固定されており、また、表基板３１３は、裏基板３１８の前面に位置するように、裏基板３１８にクランプ３１４により固定されて取り付けられている。また、絵柄フィルム１５は、表基板３１３の表面に張付されており、さらに、その前面には、上述したような保護フィルム（図示せず）が張付されている。
【００３５】
さらにまた、図１（ｄ）では、裏基板４１８は、弾球遊技機の本体枠４１２に形成された凹部４１２ａに嵌め込まれて、本体枠４１２に着脱不可能に固定されている。裏基板４１８の前面の周縁部分には、その先端に爪部４１８ｂを有する嵌合部が形成され、爪部４１８ｂと裏基板４１８との間には凹部が形成されている。表基板４１３は、凹部４１８ａに嵌め込まれるとともに、爪部４１８ｂに掛止されることにより固定されて裏基板４１８に取り付けられている。また、絵柄フィルム１５は、表基板４１３の表面に張付されており、さらに、その前面には、上述したような保護フィルム（図示せず）が張付されている。なお、表基板４１３の、裏基板４１８の凹部４１８ａに嵌め込まれる部分は、表基板４１３の取り外しが可能となるように面取りが施されている。
【００３６】
次に、図２について説明する。なお、図２（ａ）〜（ｄ）においては、上述した図１（ａ）〜（ｄ）に示した構成要素と対応する構成要素には同一の符号を付した。
【００３７】
図２（ａ）では、裏基板１１８は、弾球遊技機の本体枠１１２に形成された凹部１１２ｃに嵌め込まれて、本体枠１１２に着脱不可能に固定されている。本体枠１１２に形成された凹部１１２ｃの前側には、さらに凹部１１２ａが形成されており、この凹部１１２ａには表基板１１３が嵌めこまれるとともに凹部１１２ａの前側に形成された爪部１１２ｂにより掛止されることにより固定されて裏基板１１８に固定されている。また、表基板１１３と裏基板１１８との間には、絵柄フィルム１５が配設されている。なお、表基板１１３の、本体部１１２の凹部１１２ａに嵌め込まれる部分は、表基板１１３の取り外しが可能となるように面取りが施されている。
【００３８】
また、図２（ｂ）では、裏基板２１８は、弾球遊技機の本体枠２１２に形成された凹部２１２ａに嵌め込まれて、本体枠２１２に着脱不可能に固定されており、また、表基板２１３は、裏基板２１８の前面に位置するように、本体枠２１２にねじ２１４により固定されて取り付けられている。また、絵柄フィルム１５は、表基板２１３と裏基板２１８との間に配設されている。
【００３９】
さらに、図２（ｃ）では、裏基板３１８は、弾球遊技機の本体枠３１２に形成された凹部３１２ａに嵌め込まれて、本体枠３１２に着脱不可能に固定されており、また、表基板３１３は、裏基板３１８の前面に位置するように、裏基板３１８にクランプ３１４により固定されて取り付けられている。また、絵柄フィルム１５は、表基板３１３と裏基板３１８との間に配設されている。
【００４０】
さらにまた、図２（ｄ）では、裏基板４１８は、弾球遊技機の本体枠４１２に形成された凹部４１２ａに嵌め込まれて、本体枠４１２に着脱不可能に固定されている。裏基板４１８の前面の周縁部分には、その先端に爪部４１８ｂを有する嵌合部が形成され、爪部４１８ｂと裏基板４１８との間には凹部が形成されている。表基板４１３は、凹部４１８ａに嵌め込まれるとともに、爪部４１８ｂに掛止されることにより固定されて裏基板４１８に取り付けられている。また、絵柄フィルム１５は、表基板４１３と裏基板４１８との間に配設されている。なお、表基板４１３の、裏基板４１８の凹部４１８ａに嵌め込まれる部分は、表基板４１３の取り外しが可能となるように面取りが施されている。
【００４１】
なお、上述した上記表基板を上記弾球遊技機の本体枠又は裏基板に取り付ける方法としては、図１（ｄ）や図２（ｄ）に示したように、表基板を裏基板に嵌め込んで取り付ける方法が望ましい。裏基板を本体枠から取り外さずに上記表基板の取り外し及び取り付けを容易に行うことができ、また、表基板の取り付けを行うためのねじやクランプ等の固定部材も必要がないため、表基板の交換をより容易に行うことができるからである。
また、裏基板に、表基板を嵌め込むための凹部等を形成しておけば、交換される表基板には特別な形状を有する樹脂板等を用いる必要がなく、市販の樹脂板等により表基板とすることも可能であるため、表基板の交換に係るコストの低減を図ることも可能であり、さらにまた、表基板が裏基板に嵌め込まれるため、着脱可能な表基板を、裏基板に密着させて固定させることができ、表基板ががたついてしまうことを防止することができる。また、表基板ががたついてしまうことを防止することができるため、表基板と裏基板との間に絵柄フィルムが配設される場合には、絵柄フィルムにズレ等が生じることもない。
【００４２】
なお、本発明の弾球遊技機は、表基板を弾球遊技機の本体枠又は裏基板に取り付ける取付手段を備えており、上記取付手段としては、例えば、上述した、表基板と本体枠とを固定するためのねじや、表基板と裏基板とを固定して取り付けるためのクランプを挙げることができる。
【００４３】
本明細書において、「絵柄」とは、模様と色彩との結合をいい、「絵柄フィルム」とは、その表面及び／又は裏面に上記絵柄が描かれたフィルムをいう。
なお、上記絵柄フィルムには、上記模様のみが描かれていてもよいし、上記色彩のみが描かれていてもよい。また、上記絵柄フィルムには、文字、数字、記号等が描かれていてもよい。さらに、絵柄フィルムに描かれた絵柄は、光を一部透過してもよく、光を全て遮断してもよい。
本発明において、絵柄フィルムに絵柄を形成する方法としては、特に限定されず、グラビア印刷等により透明なフィルムに印刷層を形成してもよいし、上記絵柄の描かれたシール等をフィルムに張付してもよい。
【００４４】
また、上記絵柄フィルムが配設される位置としては、特に限定されるものではないが、例えば、上記表基板の表面に設けられていることが望ましく、また、上記表基板と上記裏基板との間に配設されていることも望ましい。
上記表基板の表面に設けられることとした場合、当該遊技盤の側方や裏面から光を供給することにより、絵柄フィルムに描かれた絵柄を鮮明に表すことができるからである。
また、上記表基板と上記裏基板との間に配設されることとした場合、上記表基板に植設された複数の障害釘が絵柄フィルムを貫通していないため、絵柄フィルムの取り外しを容易に行うことができ、また、絵柄フィルムを表基板に植設された複数の障害釘に挿通せずに取り付けることができるため、絵柄フィルムの取り付けも容易に行うことができるからである。遊技盤に描かれた絵柄の変更を行う際、上記絵柄フィルムのみを交換すればよく、遊技盤に描かれた絵柄の変更を容易に行うことができるからである。
【００４５】
また、上記絵柄フィルムを配設する方法としては、特に限定されるものではなく、上記表基板又は上記裏基板に張付してもよく、上記表基板と上記裏基板との間に挟んで配設してもよいが、表基板と裏基板との間に挟む方法が望ましい。上記絵柄フィルムを、表基板と裏基板との間に挟むことは、比較的容易に行うことができるとともに、表基板と裏基板との間に挟まれた絵柄フィルムを取り外して交換することも比較的容易に行うことができるからである。
【００４６】
また、絵柄フィルムが表基板の表面に設けられる場合には、さらに絵柄フィルムの前面に、透明な保護フィルムが設けられることが望ましい。遊技球の衝突や、遊技球との摩擦による絵柄フィルムの劣化を防止することができるからである。
【００４７】
また、本発明において、上記絵柄フィルムは、可変表示部の前方に位置する部分が、絵柄の描かれていない略透明状の非絵柄描画領域であることが望ましい。遊技者が、可変表示部に表示される演出画像等をはっきりと視認することができるからである。ここで、上記略透明状とは、遊技盤の裏面に設けられた可変表示部に表示される画像を、遊技盤を介してはっきりと視認することが可能な程度に、上記非絵柄描画領域が透明であることをいい、可視光線透過率が３０％以上であることが望ましく、５０％以上であることがより望ましい。
【００４８】
また、本発明において、上記絵柄フィルムは、可変表示部の前方に位置する部分に開口部が形成されていることも望ましい。遊技者が、可変表示部に表示される演出画像等をはっきりと視認することができるからである。
【００４９】
上記表基板を構成する材料としては、特に限定されるものではないが、上記表基板は、軟質材から構成されていることが望ましい。障害釘の植設を容易に行うことが可能となり、また、遊技球が表基板に植設された障害釘に衝突して上記表基板が割れることを防止することもできるからである。
また、上記表基板を構成する軟質材としては、ほぼ透明であれば特に限定されるものではなく、エチレン−プロピレンゴム、クロロプレンゴム、ポリウレタンゴム等の透明ゴムや、ポリ塩化ビニル樹脂、ポリエチレン樹脂等の軟質樹脂を挙げることができる。
また、上記表基板の厚さは、２〜４ｍｍが望ましい。２ｍｍ未満では薄すぎて障害釘が上記表基板を貫通してしまうおそれがあり、４ｍｍを超えると、障害釘を植設するために必要な表基板の厚さに比べて厚すぎて、経済性に劣るものとなる。上記表基板の厚さは３．５ｍｍがより望ましい。
なお、上記障害釘を植設する際、上記障害釘の上記表基板の内部に埋設された部分の長さを２〜４ｍｍとすることが望ましい。２ｍｍ未満では、遊技球との衝突に起因して植設された障害釘の角度が変化してしまうおそれがあり、４ｍｍを超えると、深すぎて上記表基板に割れが発生するおそれがあるからである。上記障害釘の上記表基板の内部に埋設された部分の長さは、３ｍｍがより望ましい。
【００５０】
上記障害釘を表基板に植設する方法としては特に限定されるものではなく、釘打ち機等を用いて表基板に直接障害釘を打ち込む方法でもよく、後述する図３に示すような方法でもよい。なお、障害釘を表基板に直接打ち込む場合、障害釘を打ち込む位置に予め障害釘を嵌め込むことができる有底孔を形成し、障害釘を当該有底孔に嵌め込むことが望ましい。上記有底孔が形成されていない表基板に直接釘を打ち込むと、表基板にひびや割れ等が発生するおそれがあるからである。
【００５１】
図３（ａ）は、障害釘が植設された表基板を模式的に示す正面図であり、（ｂ）は、（ａ）に示した表基板の拡大側面断面図である。
図３（ａ）及び（ｂ）に示すように障害釘６６は、軟質樹脂等からなる釘ベース６７に植設されているとともに、障害釘６６が植設された釘ベース６７が表基板６４に嵌め込まれて固定されている。このようにすることにより、表基板６４にひびや割れが発生することをより確実に防止することができる。
また、図３（ａ）に示すように、複数の障害釘６６を近接して植設する場合は、集合釘ベース６５の所定の位置に複数の障害釘６６を植設するとともに、障害釘６６が複数植設された集合釘ベース６５を表基板６４に嵌め込んで固定することにより、障害釘６６を表基板６４に植設することができる。
【００５２】
上記裏基板を構成する材料としては、特に限定されるものではないが、上記表基板は、硬質材から構成されていることが望ましい。弾球遊技機の作動中に遊技盤に設けられた表示装置等から熱が発生しても、裏基板に反りが発生することを防止することができるからである。さらに、表基板が熱により反りが発生し易い軟質材からなる場合であっても、当該表基板の裏側にある裏基板に支持されることにより、上記表基板に反りが発生することを防止することができる。
上記裏基板を構成する硬質材としては、ほぼ透明であれば特に限定されるものではなく、アクリル樹脂、アクリロニトリル−ブタジエン−スチレン樹脂（ＡＢＳ樹脂）、ポリカーボネート樹脂等の硬質樹脂の他、シリカ、アルミナ等のガラス等を挙げることができる。
また、上記裏基板の厚さは、１〜３ｍｍが望ましい。１ｍｍ未満では、表基板を支持するために必要な強度を得ることができる厚さに比べて薄すぎて、弾球遊技機の作動中に熱が発生すると、表基板と裏基板とが共に反ってしまうおそれがあり、３ｍｍを超えると、表基板を支持するために必要な強度を得ることができる裏基板の厚さに比べて厚すぎて、経済性に劣るものとなる。上記裏基板の厚さは１．５ｍｍがより望ましい。
【００５３】
本発明では、遊技盤の側部から当該遊技盤の中央部に向けて光を照射する光源が設けられていることが望ましい。効率よく光を遊技盤内に入射させることができるため、絵柄フィルムをより明るく見せることができるからである。
なお、「光源」とは、光を発するもととなるものをいい、例えば、冷陰極蛍光管、熱陰極蛍光管、エレクトロルミネセンス（ＥＬ）、発光ダイオード（以下、ＬＥＤという）等を挙げることができる。この場合、上記光源の数としては、特に限定されるものではない。
【００５４】
【発明の実施の形態】
本発明の実施例について図面に基づいて説明する。
図４は、本発明の弾球遊技機を模式的に示す正面図であり、図６は、図４に示した弾球遊技機を構成する遊技盤の側面断面図である。
なお、以下において説明する実施例においては、本発明の弾球遊技機の好適な実施例として、本発明をパチンコ遊技装置に適用した場合を示す。
【００５５】
図４に示すように、パチンコ遊技装置１０には、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０及び下皿２２と、下皿２２の右側に設けられた発射ハンドル２６とが配置されている。
また、本体枠１２は木材等からなる前方部１２ａと、アクリル樹脂等の透明な樹脂からなる透明部１２ｂとから構成されている。
【００５６】
図６に示すように、遊技盤１４は、ポリ塩化ビニル樹脂等の透明な軟質樹脂からなる表基板１３と、アクリル樹脂等の透明な硬質樹脂からなる裏基板１８とからなり、裏基板１８は、本体枠１２に形成された凹部１２ｃに着脱不可能に固定されている。表基板１３は、裏基板１８に形成された凹部１８ａに嵌め込まれるとともに、裏基板１８の爪部１８ｂに掛止されることにより固定されている。なお、表基板１３の、裏基板１８の凹部１８ａに嵌め込まれる部分には面取りが施されており、これにより、表基板１３を裏基板１８から取り外すことが可能となる。また、表基板１３の表面には、絵柄フィルム１５が張付されており、絵柄フィルム１５は、絵柄の描かれていない非絵柄描画領域１５ａと、絵柄の描かれた絵柄描画領域１５ｂとからなる。従って、全体として、絵柄フィルム１５を含む遊技盤１４は、液晶パネル３２の前方部分が透明となっている。ここで、裏基板１８の厚さとは、裏基板１８の前面、すなわち、表基板１３の裏面と接する面から、裏基板１８の液晶パネル３２が設けられている面までの距離のことをいう。
なお、絵柄フィルム１５は、非絵柄描画領域１５ａに相当する部分が、刳り抜かれて開口部となっていてもよい。
【００５７】
絵柄フィルム１５を含む遊技盤１４の透明である部分（透明部１４ａ）の裏面には、アクティブマトリックス駆動方式の液晶パネル３２と、液晶パネル３２に対して光を照射するバックライト８０（図示せず）とを備えた表示装置（図示せず）が設けられている。
なお、この液晶パネル３２が、少なくとも複数の変動図柄の変動表示が開始されてから、複数の変動図柄が停止表示されるまでを１回のゲームとする可変表示ゲームを示す画面画像が表示される可変表示部である。
【００５８】
上述したように、遊技盤１４は表基板１３と裏基板１８とからなるため、裏基板１８の裏面に設けられた、液晶パネル３２とバックライト８０とを備えた表示装置を、裏基板１８から取り外すことなく表基板１３を交換して面換えを行うことができる。
【００５９】
本体枠１２の透明部１２ｂの上部と下部には、冷陰極蛍光管からなる光源３４ａ及び３４ｂがそれぞれ設けられており、光源３４ａ及び３４ｂから遊技盤１４の中央部に向かって光が照射される。このようにすることにより、遊技盤を正面から見ると、遊技盤に描かれた絵柄等が光って見えるため、遊技盤全体を用いた大胆な演出を行うことができる。
【００６０】
遊技盤１４を構成する表基板１３の前面には、複数の障害釘が、表基板１３の前方向に突出するように植設されている。なお、本明細書において、パチンコ遊技装置１０とは、パチコン機をも含む概念である。
さらに、発射ハンドル２６は本体枠１２に対して回動自在に設けられており、遊技者は発射ハンドル２６を操作することによりパチンコ遊技を進めることができるのである。発射ハンドル２６の裏側には、発射モータ２８が設けられている。発射ハンドル２６が遊技者によって時計回り方向へ回動操作されたときには、発射モータ２８に電力が供給され、上皿２０に貯留された遊技球が遊技盤１４に順次発射される。
【００６１】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。
【００６２】
なお、上述したように、本発明に係るパチンコ遊技装置１０では、絵柄フィルム１５を含む遊技盤１４の中央部分が透明部１４ａであり、その裏面に液晶パネル３２が設けられるとともに、その表面には、複数の障害釘が設けられているため、遊技球が落下する経路を広く確保することができ、遊技球の落下方向に多様性を持たせることができる。その結果、より面白みのあるパチンコ遊技を提供することができる。
【００６３】
図５は、遊技盤１４を模式的に示す拡大正面図である。なお、上述した図４に示した構成要素と対応する構成要素には同一の符号を付した。また、図５は、上述した障害釘について省略したものを示した。
【００６４】
遊技盤１４の裏基板１８の略中央の裏側には、液晶パネル３２が設けられている。この液晶パネル３２には、遊技盤に相当する画像や、演出画像や、可変表示ゲームを示す変動図柄等の画像等が表示されることになる。また、例えば、所謂サブデジタルにおいて表示される識別情報画像（例えば、数字や記号を示す画像）や、保留された可変表示ゲームの回数を示す画像等も、液晶パネル３２に表示される。
【００６５】
なお、図中では、液晶パネル３２に、遊技盤１４と同じ地模様からなる背景画像と、４匹の豚を示すキャラクタ画像と、「７」−「６」−「７」の３つの変動図柄画像と、保留された可変表示ゲームの回数に対応した４つのハートを示す画像とが表示されている様子が示されている。
このように、本発明では、透明部１４ａ以外の箇所に描かれた地模様と同じ地模様を、液晶パネルに表示することが可能であり、このようにすることにより、遊技盤と可変表示部に表示される画像との融合を図ることが可能である。その結果、遊技盤を広く見せることができるとともに、遊技盤と一体化した演出を行うことができる。
【００６６】
また、遊技盤１４の下部には、大入賞口３８を含むアタッカ５０が設けられている。このアタッカ５０には、シャッタ４０が開閉自在に設けられており、シャッタ４０が開くと、大入賞口３８は開放状態となり、遊技球が入ることができるようになる。さらに、アタッカ５０の下側には、アウト口（図示せず）が設けられており、入賞口等に入らなかった遊技球は、アウト口から排出されることになる。
【００６７】
透明部１４ａの左右の両側には一般入賞口５４ａ及び５４ｂが設けられている。さらに、透明部１４ａ下部の左右の両側には一般入賞口５４ｃ及び５４ｄが設けられている。また、遊技盤１４の左右の端部には、特別入賞口５６ａ及び５６ｂが設けられ、大入賞口３８の左右の両側には、特別入賞口５６ｃ及び５６ｄが設けられている。
なお、上述した一般入賞口５４ａ〜５４ｄ、並びに、特別入賞口５６ａ〜５６ｄは、略透明な樹脂製の部材を含んで構成されており、上述した光源３４ａ及び３４ｂから光が照射されると、一般入賞口５４ａ〜５４ｄ、並びに、特別入賞口５６ａ〜５６ｄは、それぞれ光って見えるため、遊技者がその位置をはっきりと視認することができる。
【００６８】
また、透明部１４ａの下方には、可変表示ゲームが開始されて、液晶パネル３２に表示される複数、例えば、３つの識別情報である変動図柄を変動表示状態に移行する契機となる球検知センサ４２を有する始動口４４が設けられている。
遊技球が通過したことを球検知センサ４２が検知したときには、所定数の遊技球が払い出されるとともに、液晶パネル３２においては、複数の変動図柄が変動表示されて、可変表示ゲームが開始される。
【００６９】
これらの大入賞口３８、始動口４４、一般入賞口５４ａ〜５４ｄ、並びに、特別入賞口５６ａ〜５６ｄのいずれか１に遊技球が入ったときには、予め設定されている数の遊技球が下皿２２に払い出されるようになっている。
また、一般入賞口５４ａ〜５４ｄ及び特別入賞口５６ａ〜５６ｄのうち、特定の入賞口に遊技球が入ったときには、所謂サブデジタルにおいて表示される識別情報画像（例えば、数字や記号を示す画像）が、液晶パネル３２において変動表示され、当該識別情報画像が所定の画像で停止表示されたときには、始動口４４の左右の両側に設けられた可動片５８ａ及び５８ｂが動作して、始動口４４が所定の期間、開放状態となり、始動口４４に遊技球が入りやすくなる。
【００７０】
さらに、大入賞口３８、始動口４４、一般入賞口５４ａ〜５４ｄ、並びに、特別入賞口５６ａ〜５６ｄのいずれか１に入った遊技球は、遊技盤１４の内部を通って遊技盤１４の裏面に設けられた開口から落下する。このとき、これらの遊技球は、遊技球が通過した際、赤外線等の光線が遮断されたり、光線の反射状態が異なること等を利用して遊技球の通過を検出する光電式センサ等を設けておくことにより、検出することが可能である。
なお、遊技盤１４の裏面下部には、上記開口から遊技球が落下した衝撃を吸収するための弾性シート等を配設しておくことが望ましい。
【００７１】
また、表示装置３２の左右の両側には、遊技球の経路を所定の方向に誘導するための転動誘導部材６０ａ及び６０ｂを設けられている。また、遊技盤１４の外側の上左側と上右側とには装飾ランプ３６ａ及び３６ｂが設けられている。
【００７２】
また、本発明に係る遊技盤は、必ずしも、図６に示すように、表基板１３の前面に絵柄フィルム１５が張付されている必要はなく、例えば、図７に示すように、表基板１３と裏基板１８との間に配設されることとしてもよい。このようにすることにより、上述したように、絵柄フィルム１５のみを容易に交換したり、表基板１３のみを容易に交換したりすることが可能になる。
【００７３】
なお、図７は、本発明に係る遊技盤の他の一例を模式的に示す側面断面図であり、図７においては、上述した図６に示した構成要素と対応する構成要素には同一の符号を付している。また、図７に示す遊技盤は、上述したように、表基板１３と裏基板１８との間に絵柄フィルム１５が配設されている点を除いて、図６に示す遊技盤と同様であり、既に説明済であるので、ここでの説明は省略する。
【００７４】
次に、アタッカ５０について図面を用いて説明する。
図８（ａ）は、本発明に係るパチンコ遊技装置を構成するアタッカ５０のシャッタ４０の開放状態を模式的に示す平面図であり、（ｂ）は、（ａ）に示したアタッカ５０の正面図である。
上述したように、アタッカ５０に設けられたシャッタ４０が開くことにより、大入賞口３８が開放状態となり、遊技球が大入賞口３８に入ることができるようになる。このシャッタ４０は、大当たり状態が発生したときには、断続的に開放状態となるようにソレノイド４８により駆動される。
【００７５】
開放状態となった大入賞口３８から、アタッカ５０の内部に入った遊技球は、誘導ソレノイド４９により、特定領域４３に誘導される。特定領域４３に誘導された遊技球が、特定領域４３に設けられたカウントスイッチ（図示せず）を通過すると、球検知センサ（図示せず）により検知され、所定数の遊技球が払い出される。
【００７６】
また、アタッカ５０のシャッタ４０が開放状態となったときに、遊技盤１４の正面から視認することができる位置に、アタッカ５０の内部にＬＥＤランプ４１が設けられている。大当たり状態が発生して、アタッカ５０のシャッタ４０が開放状態となると、主基板（図示せず）からＬＥＤランプ制御基板（図示せず）へ、ＬＥＤランプ４１の動作を決定するランプ制御信号が送信され、上記ランプ制御信号を受信したＬＥＤランプ制御基板からＬＥＤランプ４１へ、ＬＥＤランプ４１を点灯又は点滅させるための点灯信号が送信されることにより、ＬＥＤランプ４１を点滅又は点灯させることができる。ＬＥＤランプ４１が点滅又は点灯することにより、遊技者は、ＬＥＤランプ４１が点灯又は点滅していることを視認することができ、大入賞口が開放状態であることを容易に認識することができる。
【００７７】
次に、液晶パネル３２について図面を用いて説明する。
図９は、液晶パネル３２と、絵柄フィルム１５を含む遊技盤１４の透明部１４ａとを模式的に示す斜視図である。
上述したように、遊技盤１４の表基板１２の前面には、その前面に複数の有底孔９１が設けられており、これらの有底孔９１には障害釘９０が嵌合され、全体として、遊技盤１４は、その前面に障害釘９０が植設されているように構成されている。
【００７８】
遊技盤１４の裏面に設けられた液晶パネル３２は、図９に示すように、液晶７３とスペーサ７４とからなる液晶層７５が中央部分に備え、その前面には、鉛直方向に多数の溝を有する配向膜７２ａと、透明電極７７と、赤色、緑色及び青色（ＲＧＢ）の３色のカラーフィルタ７８ａ〜７８ｃと、ガラス基板７０ａと、偏光板７１ａとが順に積層されている。この偏光板７１ａの前面が、遊技盤１４の裏基板１８に接着されている。
一方、液晶層７５の背面には、水平方向に多数の溝を有する配向膜７２ｂと、透明画素電極７６とスイッチング素子７９とを備えた層と、ガラス基板７０ｂと、偏光板７１ｂとが順に積層されている。
図中には示していないが、液晶層７５の周面には、液晶７３及びスペーサ７４を、配向膜７２ａと７２ｂとの間に保持するように、シール剤と封止剤とが設けられている。
【００７９】
また、上述した透明電極７７、透明画素電極７６及びスイッチング素子７９は、パチンコ遊技装置１０内に設けられた表示装置（図示せず）と接続されており、該表示装置は、同じくパチンコ遊技装置１０内に設けられた制御回路（図示せず）と接続されている。上記表示装置は、制御回路からの命令信号に基づいて動作し、透明電極７７、透明画素電極７６及びスイッチング素子７９に対して電力を供給する。
【００８０】
また、偏光板７１ｂの背面と所定の間隔をあけた状態で、偏光板７１ｂと対向するように、バックライト８０が設けられている。
このバックライト８０は、その前面に拡散シート８３が設けられるとともに、その背面に反射シート８２が設けられた導光体８１と、白色光を導光体８１に対して照射し得る２つの冷陰極蛍光管８４ａ及び８４ｂとからなるものである。
冷陰極蛍光管８４ａ及び８４ｂから、導光体８１の側面へ入射された白色光は、導光体８１の表面に設けられた反射シート８２と拡散シート８３とにより、均一な面状の光となって、液晶パネル３２へ供給される。
なお、図中、冷陰極蛍光管８４ａ及び８４ｂから照射される光は、破線の矢印により示した。
【００８１】
このように、透明電極７７、透明画素電極７６及びスイッチング素子７９に対して電力が供給されるとともに、バックライト８０から均一な面状の白色光が供給されることにより、液晶パネル３２には、図４に示したような画像が表示されることになるのである。
【００８２】
なお、上述した例では、遊技盤１４の裏基板１８の略中央の裏側に、液晶パネル３２が設けられている場合について説明したが、本発明では、例えば、液晶パネル３２が、遊技盤１４の裏基板１８の略中央の裏側に嵌め込まれて設けられることとしてもよい。
【００８３】
【発明の効果】
本発明の弾球遊技機によれば、遊技盤は、透過性の表基板と、当該表基板の裏側に設けられた透過性の裏基板とからなり、上記表基板は、当該弾球遊技機の本体枠又は上記裏基板と着脱可能であるため、面換えを行う際、絵柄フィルムが配設されるとともに障害釘が植設された表基板のみを取り外して交換すればよく、遊技盤の裏側に表示装置を設けておけば、従来の弾球遊技機のように、遊技盤から当該表示装置を取り外す必要がない。その結果、面換えに係る作業を簡略化することができ、面換えを容易に行うことができるようになるため、遊技盤に描かれた絵柄を頻繁に変更したり、遊技盤に植設された障害釘の位置を頻繁に変更して、落下する遊技球の動きに多様性を持たせたりすることが可能であり、遊技者は長期間にわたって飽きを感じることなく遊技を楽しむことができるようになる。さらに、例えば、遊技に必要なプログラム等が格納された制御基板等と上記表基板とのみを交換するだけで機種変更を行うことができるため、機種変更の際に表示装置を含む構成部材の多くを再利用可能とすることができるとともに、機種変更に係るコストを抑制することができる。
【図面の簡単な説明】
【図１】（ａ）〜（ｄ）は、本発明の弾球遊技機の本体枠又は裏基板と表基板とが取り付けられた状態を示す側面断面図である。
【図２】（ａ）〜（ｄ）は、本発明の弾球遊技機の本体枠又は裏基板と表基板とが取り付けられた状態を示す側面断面図である。
【図３】（ａ）は、本発明の弾球遊技機の表基板に障害釘が植設された状態を示す拡大正面図であり、（ｂ）は、（ａ）に示した表基板の側面断面図である。
【図４】本発明に係るパチンコ遊技装置を模式的に示す正面図である。
【図５】本発明に係るパチンコ遊技装置の遊技盤面を模式的に示す拡大正面図である。
【図６】本発明に係る遊技盤の一例を模式的に示す側面断面図である。
【図７】本発明に係る遊技盤の他の一例を模式的に示す側面断面図である。
【図８】（ａ）は、本発明に係るアタッカを模式的に示す平面図であり、（ｂ）は、（ａ）に示したアタッカの正面図である。
【図９】本発明に係る遊技盤の透明部と、液晶パネルとを模式的に示す斜視図である。
【符号の説明】
１０  パチンコ遊技装置
１３、１１３、２１３、３１３、４１３  表基板
１４  遊技盤
１４ａ  透明部
１５  絵柄フィルム
１５ａ  非絵柄描画領域
１５ｂ  絵柄描画領域
１８、６４、１１８、２１８、３１８、４１８  裏基板
１８ａ  凹部
１８ｂ  爪部
３２  液晶パネル（可変表示部）
５０  アタッカ
５４ａ〜５４ｄ  一般入賞口
５６ａ〜５６ｄ  特別入賞口
６５  釘ベース
６６、９０  植設釘
６７  集合釘ベース
７０ａ、７０ｂ  ガラス基板
７１ａ、７１ｂ  偏光板
７２ａ、７２ｂ  配向膜
７３  液晶
７４  スペーサ
７５  液晶層
８０  バックライト
８１  導光体
８２  反射シート
８３  拡散シート
９１  有底孔
【図１】
2004160033.tif 000003
【図２】
2004160033.tif 000004
【図３】
2004160033.tif 000005
【図４】
2004160033.tif 000006
【図５】
2004160033.tif 000007
【図６】
2004160033.tif 000008
【図７】
2004160033.tif 000009
【図８】
2004160033.tif 000010
【図９】
2004160033.tif 000011